(57)【要約】【課題】利用者の嗜好にあったプレイリストを自動的に作成する機能を備えた情報再生装置の提供を図ること。【解決手段】情報再生装置１００は、受付部１０１によってプレイリストの作成条件に関する情報を受け付ける。抽出部１０２は、作成条件に関する情報に該当するコンテンツをデータベースから抽出する。また、取得部１０５は、作成条件に関する情報に該当するコンテンツを外部から取得する。作成部１０３は、抽出部１０２によって抽出されたコンテンツと、取得部１０５によって取得されたコンテンツとを用いてコンテンツを再生させる際のプレイリストを作成する。再生部１０４は、作成されたプレイリストに応じてコンテンツを再生させる。【選択図】図１
2007280442.tif 000002
【特許請求の範囲】
【請求項１】
コンテンツのプレイリストの作成条件に関する情報を受け付ける受付手段と、
データベースに格納されている複数のコンテンツの中から前記作成条件に該当するコンテンツを抽出する抽出手段と、
前記抽出手段によって抽出されたコンテンツを用いてプレイリストを作成する作成手段と、
前記プレイリストに応じてコンテンツを再生する再生手段と、
を備えることを特徴とする情報再生装置。
【請求項２】
前記作成条件に該当するコンテンツであって前記データベースに格納されていないコンテンツを外部から取得する取得手段をさらに備え、
前記作成手段は、前記抽出手段によって抽出されたコンテンツおよび前記取得手段によって取得されたコンテンツを用いてプレイリストを作成することを特徴とする請求項１に記載の情報再生装置。
【請求項３】
前記データベースには、コンテンツのヒットチャート情報が格納されており、
前記抽出手段は、前記ヒットチャート情報を用いて、コンテンツを抽出することを特徴とする請求項１または２に記載の情報再生装置。
【請求項４】
前記作成条件は、アーティスト名、ジャンル、リリース日、売り上げ枚数、ランキング順位および再生回数のうち少なくともいずれか一つの項目から構成されていることを特徴とする請求項１〜３のいずれか一つに記載の情報再生装置。
【請求項５】
コンテンツのプレイリストの作成条件に関する情報を受け付ける受付工程と、
データベースに格納されている複数のコンテンツの中から前記作成条件に該当するコンテンツを抽出する抽出工程と、
前記抽出工程によって抽出されたコンテンツを用いて、当該コンテンツを再生するためのプレイリストを作成する作成工程と、
を含むことを特徴とするリスト作成方法。
【請求項６】
請求項５に記載のリスト作成方法をコンピュータに実行させることを特徴とするリスト作成プログラム。
【請求項７】
請求項６に記載のリスト作成プログラムをコンピュータに読み取り可能に記録した記録媒体。
【発明の詳細な説明】
【技術分野】
【０００１】
この発明は、自動作成したプレイリストに応じてコンテンツを再生する情報再生装置、リスト作成方法、リスト作成プログラムおよび記録媒体に関する。
【背景技術】
【０００２】
従来、複数の楽曲データと当該楽曲データに関する情報とが記録された楽曲データベースを備え、複数の楽曲データが収録されたアルバムと当該楽曲データに関する情報が記憶されたアルバム情報データベースと、利用者から受け付けたアルバムに関する情報を用いて利用者が、簡単に、楽曲ベスト版や、楽曲シングル集等を作製することのできる楽曲記録再生装置が開示されている（たとえば、下記特許文献１参照。）。
【０００３】
【特許文献１】特開２００４−５８１１号公報
【発明の開示】
【発明が解決しようとする課題】
【０００４】
しかしながら、特許文献１の楽曲記録再生装置によってプレイリストを作成するためには、作成の都度、プレイリストに登録する楽曲データ（コンテンツ）を選択しなければならず、利用者にとって手間がかかり、負担が大きいという問題が一例として挙げられる。
【０００５】
また、特許文献１の楽曲記録再生装置は、楽曲データベースにあらたなコンテンツを追加しないかぎり、プレイリストを作成する際の対象となるコンテンツの内容が同一のままであるため、プレイリスト内容が更新されないという問題が一例として挙げられる。
【課題を解決するための手段】
【０００６】
請求項１の発明にかかる情報再生装置は、コンテンツのプレイリストの作成条件に関する情報を受け付ける受付手段と、データベースに格納されている複数のコンテンツの中から前記作成条件に該当するコンテンツを抽出する抽出手段と、前記抽出手段によって抽出されたコンテンツを用いてプレイリストを作成する作成手段と、前記プレイリストに応じてコンテンツを再生する再生手段と、を備えることを特徴とする。
【０００７】
また、請求項５の発明にかかるリスト作成方法は、コンテンツのプレイリストの作成条件に関する情報を受け付ける受付工程と、データベースに格納されている複数のコンテンツの中から前記作成条件に該当するコンテンツを抽出する抽出工程と、前記抽出工程によって抽出されたコンテンツを用いて、当該コンテンツを再生するためのプレイリストを作成する作成工程と、を含むことを特徴とする。
【０００８】
また、請求項６の発明にかかるリスト作成プログラムは、請求項５に記載のリスト作成方法をコンピュータに実行させることを特徴とする。
【０００９】
また、請求項７の発明にかかる記録媒体は、請求項６に記載のリスト作成プログラムをコンピュータに読み取り可能に記録したことを特徴とする。
【発明を実施するための最良の形態】
【００１０】
以下に添付図面を参照して、この発明にかかる情報再生装置、リスト作成方法、リスト作成プログラムおよび記録媒体の好適な実施の形態を詳細に説明する。
【００１１】
（情報再生装置の機能的構成）
まず、本実施の形態にかかる情報再生装置の機能的構成について説明する。図１は、本実施の形態にかかる情報再生装置の機能的構成の一例を示すブロック図である。図１において、情報再生装置１００は、受付部１０１と、抽出部１０２と、作成部１０３と、再生部１０４と、取得部１０５と、を含んで構成されている。
【００１２】
受付部１０１は、コンテンツのプレイリストの作成条件に関する情報を受け付ける。ここで、コンテンツとは、情報再生装置１００によって再生されるひとまとまりの情報を表す。具体的には、たとえば、楽曲、ラジオ番組などの音楽データや、映画、ミュージックビデオ、放送番組などの映像データが挙げられる。
【００１３】
また、プレイリストの作成条件に関する情報とは、プレイリストを作成する際に参照する項目の情報であり、あらかじめ利用者や上位プログラムによって設定されている。作成条件の項目として、具体的には、たとえば、アーティスト名、ジャンル、リリース日、売り上げ枚数、ランキング順位および再生回数などが任意の数だけ設定されている。作成条件の項目の追加や削除、または、あらたな項目の設定などは、利用者によって自由におこなうことができる。
【００１４】
抽出部１０２は、データベースに格納されている複数のコンテンツの中から受付部１０１によって受け付けた作成条件に該当するコンテンツを抽出する。データベースとは、コンテンツが格納された不図示の記録部である。また、データベースは、情報再生装置１００に搭載、もしくは接続されており、データベースに格納されているコンテンツは、情報再生装置１００によって高速に読み出される。
【００１５】
さらに、データベースには、コンテンツの他に、コンテンツのヒットチャート情報が格納されていてもよい。このような場合、作成条件にランキング順位などヒットチャート情報を必要とする項目が含まれていれば、プレイリストを作成する際に、情報再生装置１００によってヒットチャート情報が読み出される。読み出されたヒットチャート情報は、抽出部１０２によって作成条件に該当するコンテンツを抽出する際に参照される。
【００１６】
作成部１０３は、抽出部１０２によって抽出されたコンテンツを用いてプレイリストを作成する。プレイリストは、複数のコンテンツの識別情報によって構成されている。なお、プレイリストを構成するコンテンツの識別情報の順序は個別に指定できるが、通常は抽出部１０２によって抽出された順序に並べられている。コンテンツの順序を個別に指定する場合は、たとえば、抽出されたすべてのコンテンツの中からリリース日の古い順、または、新しい順、アーティスト名のアルファベット順、または、あいうえお順、ヒットチャートの降順、または、昇順など様々な設定をおこなうことができる。
【００１７】
再生部１０４は、プレイリストに応じてコンテンツを再生する。作成部１０３において説明したように、プレイリストはコンテンツの識別情報が並べられている。したがって、再生部１０４は、プレイリストに並べられた順序に識別情報に該当するコンテンツをデータベースから読み出して再生する。
【００１８】
取得部１０５は、作成条件に該当するコンテンツであってデータベースに格納されていないコンテンツを外部から取得する。ここで、外部とは、通信Ｉ／Ｆ（インターフェース）を介して接続された各種ネットワークを意味する。これらネットワーク上に構成されているコンテンツ配信機関（たとえば、コンテンツ配信会社のサーバ）から、作成条件に該当するコンテンツを取得する。
【００１９】
なお、ネットワークを介して取得するコンテンツは、有料コンテンツ、無料コンテンツなどの種類を問わないが、有料コンテンツを取得する場合は、取得前に利用者に対して、有料コンテンツを取得するか否かの判断を受け付け、取得する旨の指示を受け付けた場合にのみ有料コンテンツを取得するようにしてもよい。
【００２０】
また、上述した作成部１０３は、取得部１０５によって外部からコンテンツを取得した場合は、抽出部１０２によって抽出されたコンテンツおよび取得部１０５によって取得されたコンテンツを用いてプレイリストを作成する。
【００２１】
（情報再生装置の処理の内容）
つぎに、情報再生装置の処理の内容について説明する。図２は、情報再生装置の処理の内容の一例を示すフローチャートである。図２のフローチャートにおいて、まず、受付部１０１によってプレイリストの作成条件を受け付けたか否かを判断する（ステップＳ２０１）。ここで、作成条件を受け付けるまで待ち（ステップＳ２０１：Ｎｏのループ）、受け付けると（ステップＳ２０１：Ｙｅｓ）、データベースから作成条件に該当するコンテンツを抽出する（ステップＳ２０２）。
【００２２】
つぎに、取得部１０５が外部からコンテンツを取得したか否かを判断する（ステップＳ２０３）。なお、このステップＳ２０３において、取得されか否かの判断がおこなわれるコンテンツは、上述したように受付部１０１によって受け付けた作成条件に該当するコンテンツである。
【００２３】
ステップＳ２０３の判断において、外部からコンテンツを取得した場合（ステップＳ２０３：Ｙｅｓ）、作成部１０３は、ステップＳ２０２において抽出したコンテンツおよびステップＳ２０３において取得したコンテンツを用いてプレイリストを作成する（ステップＳ２０４）。一方、ステップＳ２０３の判断において、外部からコンテンツを取得していない場合（ステップＳ２０３：Ｎｏ）、作成部１０３は、ステップＳ２０２において抽出したコンテンツを用いてプレイリストを作成する（ステップＳ２０５）。
【００２４】
最後に、再生部１０４は、ステップＳ２０４またはステップＳ２０５において作成されたプレイリストに応じてコンテンツを再生し（ステップＳ２０６）、一連の処理を終了する。
【００２５】
以上説明したように、この発明の実施の形態にかかる情報再生装置１００は、設定された作成条件に応じて自動的にプレイリストを作成することができる。また、自装置のデータベースに格納されているコンテンツのみならず、外部から作成条件に該当するコンテンツを取得し、取得したコンテンツをプレイリストに含めることができる。したがって、作成をおこなうたびに最新コンテンツを反映したプレイリストを作成することができる。
【００２６】
また、情報再生装置１００は、プレイリストを作成する際に用いる作成条件を任意の項目に設定することで、設定した項目に該当するコンテンツのみを抽出する。したがって、利用者の嗜好を反映させたプレイリストを作成することができる。
【実施例】
【００２７】
つぎに、本発明の実施の形態にかかる実施例について詳細に説明する。ここでは、この実施の形態にかかる情報再生装置を、たとえば車両（四輪車、二輪車を含む）などの移動体や携帯型電話機などの可搬型端末に搭載されるオーディオ装置に適用する。具体的には、たとえば、利用者に適した楽曲や音声情報などのコンテンツのプレイリストを自動的に作成し、作成したプレイリストに応じてコンテンツを再生させるような場合を説明する。
【００２８】
（オーディオ装置のハードウェア構成）
まず、本発明の実施例にかかるオーディオ装置３００のハードウェア構成について説明する。図３は、本発明の実施例にかかるオーディオ装置のハードウェア構成の一例を示すブロック図である。図３において、オーディオ装置３００は、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、マイク３０９と、スピーカ３１０と、入力デバイス３１１と、映像Ｉ／Ｆ（インターフェース）３１２と、ディスプレイ３１３と、通信Ｉ／Ｆ（インターフェース）３１４と、を備えている。なお、各構成部３０１〜３１４はバス３２０によってそれぞれ接続されている。
【００２９】
まず、ＣＰＵ３０１は、オーディオ装置３００の全体の制御を司る。ＲＯＭ３０２は、たとえばブートプログラム、通信プログラム、データベース作成プログラム、データ解析プログラム、リスト作成プログラムなどの各種プログラムを記録している。
【００３０】
ここで、リスト作成プログラムは、後述する磁気ディスク３０５に格納されているコンテンツの情報の中から利用者の定めた作成条件に該当するコンテンツを抽出してオーディオ装置３００によって再生させるコンテンツのプレイリストを作成する。また、プレイリスト作成の際には、磁気ディスク３０５にすでに格納されているコンテンツの中から抽出する他にも、通信Ｉ／Ｆ３１４を介してネットワークから取得したコンテンツを用いてもよい。なお、そのような場合、取得したコンテンツはそのまま磁気ディスク３０５に格納される。
【００３１】
ＲＡＭ３０３は、たとえばＣＰＵ３０１のワークエリアとして使用される。
【００３２】
磁気ディスクドライブ３０４は、ＣＰＵ３０１の制御にしたがって磁気ディスク３０５に対するデータのリード／ライトを制御する。磁気ディスク３０５は、磁気ディスクドライブ３０４の制御で書き込まれたデータを記録する。具体的に、磁気ディスク３０５としては、たとえば、ＨＤ（ハードディスク）やＦＤ（フレキシブルディスク）を用いることができる。
【００３３】
光ディスクドライブ３０６は、ＣＰＵ３０１の制御にしたがって光ディスク３０７に対するデータのリード／ライトを制御する。光ディスク３０７は、光ディスクドライブ３０６の制御にしたがってデータが読み出される着脱自在な記録媒体である。この光ディスク３０７としては、書き込み可能な記録媒体を利用することもできる。また、着脱可能な記録媒体として、具体的には、たとえば、楽曲データが格納された音楽ＣＤが挙げられる。また、光ディスク３０７として、上述のような音楽ＣＤのほか、ＭＯ、メモリカードなどを用いることもできる。
【００３４】
なお、オーディオ装置３００の光ディスクドライブ３０６に音楽ＣＤなどのコンテンツが格納された光ディスク３０７が接続されると、ＣＰＵ３０１のよって格納されたコンテンツは自動的に読み出され、磁気ディスク３０５に格納される。したがって、磁気ディスク３０５に格納されていないコンテンツを含む光ディスク３０７をあらたに光ディスクドライブ３０６に接続すれば、プレイリストを作成する際に抽出対象となるコンテンツ数を増加させることができる。
【００３５】
音声Ｉ／Ｆ３０８は、音声入力用のマイク３０９および音声出力用のスピーカ３１０に接続される。マイク３０９に受音された音声は、音声Ｉ／Ｆ３０８内でＡ／Ｄ変換される。なお、スピーカ３１０は、車両の内部だけでなく、車両の外部に設けられていてもよい。このスピーカ３１０からは、音声Ｉ／Ｆ３０８からの音声信号に基づく音声が出力される。また、マイク３０９から入力された音声は、たとえば音声データとして磁気ディスク３０５あるいは光ディスク３０７に記録可能である。
【００３６】
入力デバイス３１１は、文字、数値、各種指示などの入力のための複数のキーを備えたリモコン、キーボード、マウス、タッチパネルなどが挙げられる。
【００３７】
映像Ｉ／Ｆ３１２は、ディスプレイ３１３と接続される。この映像Ｉ／Ｆ３１２は、具体的には、たとえば、ディスプレイ３１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３１３を表示制御する制御ＩＣなどによって構成される。
【００３８】
ディスプレイ３１３には、アイコン、カーソル、メニュー、ウインドウ、あるいは文字や画像などの各種データが表示される。このディスプレイ３１３としては、たとえば、ＣＲＴ、ＴＦＴ液晶ディスプレイ、プラズマディスプレイなどを採用することができる。
【００３９】
また、通信Ｉ／Ｆ３１４は、無線を介してネットワークに接続され、オーディオ装置３００とＣＰＵ３０１とのインターフェースとして機能する。通信Ｉ／Ｆ３１４は、さらに、無線を介してインターネットなどの通信網に接続され、この通信網とＣＰＵ３０１とのインターフェースとしても機能する。
【００４０】
ネットワークには、ＬＡＮ、ＷＡＮ、公衆回線網や携帯電話網などがある。具体的には、通信Ｉ／Ｆ３１４は、たとえば、ＦＭチューナー、無線オーディオ装置、およびその他のオーディオ装置によって構成され、音楽配信サイトなどからコンテンツのデータを取得する。
【００４１】
なお、図１に示した実施の形態にかかる情報再生装置１００の機能的構成である受付部１０１は、具体的には、たとえばＣＰＵ３０１および入力デバイス３１１によってその機能を実現する。また、抽出部１０２、作成部１０３は、具体的には、たとえばＣＰＵ３０１および磁気ディスク３０５によってそれぞれその機能を実現する。また、再生部１０４は、具体的には、たとえばＣＰＵ３０１、磁気ディスクドライブ３０４、スピーカ３１０およびディスプレイ３１３によってその機能を実現する。また、取得部１０５は、具体的には、たとえばＣＰＵ３０１および通信Ｉ／Ｆ３１４によってその機能を実現する。
【００４２】
（オーディオ装置のプレイリスト作成処理）
つぎに、本発明の実施例にかかるオーディオ装置のプレイリスト作成処理の内容を説明する。図４は、本発明の実施例にかかるオーディオ装置のプレイリスト作成処理の内容を示すフローチャートである。図４のフローチャートにおいて、まず、プレイリストを作成するか否かを判断する（ステップＳ４０１）。ここで、プレイリストを作成するか否かの判断をおこなうために、利用者からプレイリストを作成するか否かの判断を受け付ける。
【００４３】
利用者からプレイリストを作成するか否かの判断を受け付けるために、具体的には、たとえば、オーディオ装置３００において、利用者が情報再生機能を実行させようと入力デバイス３１１から所定の指示がおこなわれたことを契機に、ディスプレイ３１３にプレイリストを作成するか否かの選択画面を表示させる。利用者は、ディスプレイ３１３の表示内容にしたがって、入力デバイス３１１またはマイク３０９によってプレイリストを作成するか否かの指示を入力する。このような利用者からの指示に応じてプレイリストを作成するか否かを判断する。
【００４４】
上述のような処理により、ステップＳ４０１において、プレイリストを作成すると判断された場合には（ステップＳ４０１：Ｙｅｓ）、つぎに作成条件が設定済みか否かを判断する（ステップＳ４０２）。作成条件が設定済みか否かは、磁気ディスク４０５に作成条件として設定されたデータが格納されているか否かによって判断される。なお、ステップＳ４０１において、プレイリストを作成しないと判断された場合には（ステップＳ４０１：Ｎｏ）、そのまま一連のプレイリスト作成処理を終了する。
【００４５】
ステップＳ４０２において、作成条件が設定済みであると判断された場合には（ステップＳ４０２：Ｙｅｓ）、つぎに、設定済みの作成条件を変更するか否かの判断をおこなう（ステップＳ４０３）。ここで、作成条件を変更するか否かの判断をおこなうために、利用者から作成条件を変更するか否かの判断を受け付ける。作成条件を変更するか否かの判断の受け付けは、ステップＳ４０１におけるプレイリストを作成するか否かの判断の受け付けと同様に、ディスプレイ３１３や入力デバイス３１１を用いて、利用者からの指示を受け付け、判断をおこなう。
【００４６】
ステップＳ４０３において、設定済みの作成条件を変更しないと判断された場合には（ステップＳ４０３：Ｎｏ）、磁気ディスク４０５内のデータベースに格納されているコンテンツの中から、設定されている作成条件に該当するコンテンツが抽出される（ステップＳ４０５）。
【００４７】
また、ステップＳ４０２において作成条件が設定されていないと判断された場合（ステップＳ４０２：Ｎｏ）や、ステップＳ４０３において作成条件を変更すると判断された場合（ステップＳ４０３：Ｙｅｓ）には、あらたに作成条件を設定する（ステップＳ４０４）。
【００４８】
ここで、作成条件の設定について説明する。作成条件は、コンテンツを特定する一つ以上の項目によって構成される。また、作成条件の設定とは、作成条件の複数の項目のうち、どの項目を利用するか選択し、さらに、選択した項目の具体的な内容を設定する２段階の処理が含まれている。
【００４９】
作成条件の項目としては、アーティスト名、ジャンル、リリース日、売り上げ枚数、ランキング順位、再生回数、キーワード、音楽ビデオの有無などが一例として挙げられる。利用者は、まず、上述したような項目の中から作成条件として利用する項目を選択する。なお、選択対象となる項目はあらかじめ登録されたものが表示されるが、選択の際にあらたな項目を作成し、登録してもよい。
【００５０】
利用者によって選択された項目は、さらに具体的な内容の設定がおこなわれる。一例として、アーティスト名「モーツァルト」、ジャンル「交響曲」と設定してもよし、他の例としてリリース日「２０００年２月１５日以降」、キーワード「卒業」、音楽ビデオ「有」などと設定してもよい。
【００５１】
なお、作成条件が設定されると、当該作成条件は磁気ディスク３０５に記録されるようにする。
【００５２】
以上説明したような処理によってステップＳ４０４の作成条件の設定がおこなわれると、つぎに、磁気ディスク４０５内のデータベースに格納されているコンテンツの中から、設定された作成条件に該当するコンテンツが抽出される（ステップＳ４０５）。
【００５３】
そして、ステップＳ４０５によって抽出されたコンテンツを用いてプレイリストを作成する（ステップＳ４０６）。このステップＳ４０６によって作成されるプレイリストとはステップＳ４０５において抽出されたコンテンツの識別情報の集合体である。また、プレイスリストの順序、すなわちコンテンツの識別情報の集合体の並び順は、利用者の設定に応じて自由に変更させることができる。
【００５４】
つぎに、ステップＳ４０６によって作成したプレイリストに応じてコンテンツを再生するか否かの判断をおこなう（ステップＳ４０７）。このステップＳ４０７の判断も、利用者による判断を受け付ける必要がある。したがって、ディスプレイ３１３や入力デバイス３１１を用いて利用者から受け付けた指示に応じて、コンテンツを再生するか否かの判断がおこなわれる。
【００５５】
ステップＳ４０７において、利用者からの指示に基づき、コンテンツを再生しないと判断された場合には（ステップＳ４０７：Ｎｏ）、そのまま、一連のプレイリスト作成処理を終了する。なお、作成されたプレイリストは、磁気ディスク４０５に格納され、次回コンテンツを再生させる指示を受け付けた場合には自動的に読み出され、利用者に読み出したプレイリストに応じてコンテンツを再生するか否かを判断させてもよい。
【００５６】
一方、ステップＳ４０７において、利用者からの指示に基づき、コンテンツを再生すると判断された場合は（ステップＳ４０７：Ｙｅｓ）、プレイリストに応じてコンテンツを再生する（ステップＳ４０８）。以上の処理により、オーディオ装置３００による一連のプレイリスト作成処理は終了し、以降、磁気ディスクドライブ３０４およびスピーカ３１０（映像データの場合にはディスプレイ３１３も含む）によって作成されたプレイリストに応じたコンテンツの再生がおこなわれる。
【００５７】
また、上述したプレイリスト作成処理では磁気ディスク３０５内のデータベースに格納されたコンテンツを対象にプレイリストを作成したが、外部から取得したコンテンツをあらたに対象に加えて、プレイリストを作成してもよい。ここで、外部から取得したコンテンツとは、通信Ｉ／Ｆ３１４を介して接続されたオンラインのミュージックストアなどのオンラインコンテンツを意味する。取得の際には、無数のオンラインコンテンツの中から作成条件に該当するコンテンツのみを選択して取得する。オンラインコンテンツを取得するか否か、また取得する場合に有料／無料を問うかなどの設定も、作成条件の設定の際にあわせて設定することができる。
【００５８】
また、取得されたコンテンツの取得後の処理としては、まず、磁気ディスク３０５内のデータベースに格納されるとともに、コンテンツの識別情報もあわせて格納される。識別情報は、プレイリストを作成する際、抽出対象となるコンテンツの１つとしてＣＰＵ３０１によって読み出される。
【００５９】
（プレイリストの作成のタイミング）
つぎに、オーディオ装置３００におけるプレイリストの作成のタイミングについて説明する。プレイリスト作成処理で説明したように、プレイリストは、磁気ディスク３０５のデータベースに格納されているコンテンツや、外部のネットワークから取得したコンテンツを対象として作成される。
【００６０】
すなわち、作成条件が変更された場合、データベースにあらたなコンテンツが格納された場合および外部からあらたなコンテンツが取得された場合の３種類の状態以外では、再度プレイリストを作成しても、前回作成したプレイリストと同一内容になってしまう。したがって、上述した３種類の状態を契機として、プレイリスト作成処理を開始させることで、最新のプレイリストを自動的に作成することができる。
【００６１】
（複数の利用者に対するプレイリスト作成）
つぎに、複数の利用者を対象とした作成条件の設定画面について説明する。図５は、複数の利用者を対象とした作成条件の設定画面の一例を示す説明図である。図５のように、オーディオ装置３００のディスプレイ３１３には、ユーザ（利用者）名選択部５０１と、作成条件部５０２および作成条件追加・変更部５０３と、オンラインコンテンツ利用選択部５０４とによって構成されている。
【００６２】
ユーザ名選択部５０１は、あらかじめ登録されている利用者の名前の中から、これからオーディオ装置３００を利用する利用者の名前を選択させる。なお、利用者の名前は、あらたに登録することもできる。
【００６３】
作成条件部５０２は、ユーザ名選択部５０１によって選択された利用者の名前で登録されている作成条件を表示させる。また、登録されている作成条件の追加または変更をおこないたい場合は、作成条件追加・変更部５０３を選択し、作成条件の追加・変更の設定画面を呼び出す。作成条件の追加・変更の設定画面については、図６を用いて詳細に説明する。
【００６４】
オンラインコンテンツ利用選択部５０４は、プレイリスト作成時に通信Ｉ／Ｆ３１４を介して外部からオンラインコンテンツを取得するか否かを選択させる。ここでも、ユーザ名選択部５０１によって選択された利用者の名前と対応して登録された内容（使用する／利用しない）が表示されるが、自由に変更することができる。
【００６５】
つぎに、作成条件の追加・変更の設定画面について説明する。図６は、作成条件の追加・変更の設定画面の一例を示す説明図である。図６に示したようなディスプレイ３１３は、作成条件の追加・変更の設定画面として作成条件選択部６０１と、新規作成条件入力部６０２とによって構成されている。
【００６６】
作成条件選択部６０１は、あらかじめ登録されている作成条件の項目の中から作成条件として実際に利用する項目を選択させる。なお、作成条件として複数の項目を選択させることもできる。
【００６７】
新規作成条件入力部６０２は、作成条件選択部６０１に登録されていないあらたな作成条件を登録する際に用いる。具体的には、新規作成条件入力部６０２にあらたな作成条件が入力されると、ＣＰＵ３０１によって入力された項目が作成条件として登録可能であるか否か判断される。登録可能であった場合は、新規項目として、入力された項目が作成条件選択部６０１に追加される。
【００６８】
このように、オーディオ装置３００は、複数の利用者に共有されているような場合であっても、利用者ごとの作成条件を詳細に設定することができるため、個人の嗜好に見合ったプレイリストを作成することができる。
【００６９】
以上説明したように、情報再生装置、リスト作成方法、リスト作成プログラムおよび記録媒体によれば、設定された作成条件に応じて自動的にプレイリストを作成することができる。また、自装置のデータベースに格納されているコンテンツのみならず、外部から作成条件に該当するコンテンツを取得し、取得したコンテンツをプレイリストに含めることができるため、作成をおこなうたびに最新コンテンツを反映したプレイリストを作成することができる。
【００７０】
なお、本実施の形態で説明したリスト作成方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００７１】
【図１】本実施の形態にかかる情報再生装置の機能的構成の一例を示すブロック図である。
【図２】情報再生装置の処理の内容の一例を示すフローチャートである。
【図３】本発明の実施例にかかるオーディオ装置のハードウェア構成の一例を示すブロック図である。
【図４】本発明の実施例にかかるオーディオ装置のプレイリスト作成処理の内容の一例を示すフローチャートである。
【図５】複数の利用者を対象とした作成条件の設定画面の一例を示す説明図である。
【図６】作成条件の追加・変更の設定画面の一例を示す説明図である。
【符号の説明】
【００７２】
１００  情報再生装置
１０１  受付部
１０２  抽出部
１０３  作成部
１０４  再生部
１０５  取得部
【図１】
2007280442.tif 000003
【図２】
2007280442.tif 000004
【図３】
2007280442.tif 000005
【図４】
2007280442.tif 000006
【図５】
2007280442.tif 000007
【図６】
2007280442.tif 000008